(57)【要約】【課題】簡単な構造の緩衝装置により、開閉体の停止時における衝撃を安定して緩和する。【解決手段】緩衝装置５０は、開閉体２０を減速させる減速装置５１と、減速装置５１と当接して減速装置５１を作動させる作動部５２を有する。減速装置５１は、収縮時に開閉体２０を制動する制動機構７０と、作動部５２と当接して制動機構７０を収縮させる当接部材８０を有する。当接部材８０は、制動機構７０の伸長方向Ｋ２前方の端部側に位置して制動機構７０に連結される連結部８１と、制動機構７０の収縮方向Ｋ１前方の端部側に位置して作動部５２と当接する当接部８２を有する。【選択図】  図７
2018162573.tif 000002
【特許請求の範囲】
【請求項１】
枠体と、スライドにより移動する開閉体と、前記開閉体の停止時における衝撃を緩和する緩衝装置と、を備えた建具であって、
前記緩衝装置は、前記枠体と前記開閉体の一方に設けられ、前記開閉体を減速させる減速装置と、前記枠体と前記開閉体の他方に設けられ、前記減速装置と当接して前記減速装置を作動させる作動部と、を有し、
前記減速装置は、前記開閉体のスライド方向に沿う収縮方向への収縮時に前記開閉体を制動するとともに収縮状態から前記収縮方向の反対側に向かって伸長方向に伸長する制動機構と、前記制動機構に並列して配置されて前記制動機構に連結されるとともに前記作動部と当接して前記制動機構を収縮させる当接部材と、を有し、
前記当接部材は、前記制動機構の前記伸長方向前方の端部側に位置して前記制動機構に連結される連結部と、前記制動機構の前記収縮方向前方の端部側に位置して前記作動部と当接する当接部と、を有する建具。
【請求項２】
請求項１に記載された建具において、
前記制動機構は、制動部と、前記収縮方向と前記伸長方向に移動可能に前記制動部に連結されて前記収縮方向への移動時に前記制動部により制動される可動部と、を有する建具。
【請求項３】
請求項２に記載された建具において、
前記当接部材は、前記可動部に連結された前記連結部から前記制動部側に位置する前記当接部に向かって前記制動機構に沿って配置される建具。
【請求項４】
請求項１ないし３のいずれかに記載された建具において、
前記減速装置は、前記収縮方向と前記伸長方向に前記当接部材をガイドするガイド手段を有する建具。
【請求項５】
請求項１ないし４のいずれかに記載された建具において、
前記減速装置を保持して前記制動機構を覆う、前記枠体と前記開閉体の一方に取り付けられたカバー部材を備えた建具。
【請求項６】
請求項１ないし５のいずれかに記載された建具において、
前記減速装置は、前記枠体に設けられ、
前記作動部は、前記開閉体に設けられた建具。
【請求項７】
請求項１ないし６のいずれかに記載された建具において、
前記開閉体のタイト部に沿って配置されるタイト材を備え、
前記減速装置は、前記タイト材に対して、前記開閉体により仕切られた２つの空間のうちの一方の空間側に設けられ、前記一方の空間側で前記作動部と当接して作動する建具。
【発明の詳細な説明】
【技術分野】
【０００１】
本発明は、スライドにより移動する開閉体を備えた建具に関する。
【背景技術】
【０００２】
スライド式の開閉体を備えた建具においては、開閉体の停止時における衝撃を緩和するため、緩衝装置が用いられている。開閉体は、スライドにより移動して、他の部材（例えば、枠体）に当接して停止する。その際、緩衝装置は、開閉体を減速させて、建具に加わる衝撃を緩和する。また、従来、ロータリーダンパーにより、面材（開閉体）の開閉速度を減速させる建具が知られている（特許文献１参照）。
【０００３】
特許文献１に記載された従来の建具では、面材が減速区間を移動するときに、ロータリーダンパーのピニオンギヤがラックに噛み合い、ロータリーダンパーが減衰力を発揮する。ところが、ロータリーダンパーを有する緩衝装置では、ピニオンギヤをラックの全体にわたって噛み合わせる必要があり、緩衝装置の構造が複雑になる虞がある。また、ロータリーダンパーにより衝撃を安定して緩和するため、ピニオンギヤとラックの位置を正確に調整する必要がある。従って、建具の設置の手間を低減するのが難しく、建具の設置作業をより容易にするためにも、緩衝装置の構造をより簡単にすることが求められる。
【先行技術文献】
【特許文献】
【０００４】
【特許文献１】特許第４６６９８２２号公報
【発明の概要】
【発明が解決しようとする課題】
【０００５】
本発明は、前記従来の問題に鑑みなされたもので、その目的は、簡単な構造の緩衝装置により、スライドにより移動する開閉体の停止時における衝撃を安定して緩和することである。
【課題を解決するための手段】
【０００６】
本発明は、枠体と、スライドにより移動する開閉体と、前記開閉体の停止時における衝撃を緩和する緩衝装置と、を備えた建具である。前記緩衝装置は、前記枠体と前記開閉体の一方に設けられ、前記開閉体を減速させる減速装置と、前記枠体と前記開閉体の他方に設けられ、前記減速装置と当接して前記減速装置を作動させる作動部と、を有する。前記減速装置は、前記開閉体のスライド方向に沿う収縮方向への収縮時に前記開閉体を制動するとともに収縮状態から前記収縮方向の反対側に向かって伸長方向に伸長する制動機構と、前記制動機構に並列して配置されて前記制動機構に連結されるとともに前記作動部と当接して前記制動機構を収縮させる当接部材と、を有する。前記当接部材は、前記制動機構の前記伸長方向前方の端部側に位置して前記制動機構に連結される連結部と、前記制動機構の前記収縮方向前方の端部側に位置して前記作動部と当接する当接部と、を有する。
【発明の効果】
【０００７】
本発明によれば、簡単な構造の緩衝装置により、スライドにより移動する開閉体の停止時における衝撃を安定して緩和することができる。
【図面の簡単な説明】
【０００８】
【図１】第１実施形態の建具の正面図である。
【図２】第１実施形態の建具の断面図である。
【図３】第１実施形態の建具の断面図である。
【図４】第１実施形態の建具の断面図である。
【図５】第１実施形態の建具の断面図である。
【図６】第１実施形態の上枠を含む建具の一部を拡大して示す断面図である。
【図７】第１実施形態の緩衝装置を示す図である。
【図８】第１実施形態の制動機構の動作を示す断面図である。
【図９】第１実施形態の当接部材と作動部の当接について説明するための断面図である。
【図１０】第１実施形態の建具における開閉体の停止時の動作を示す図である。
【図１１】第１実施形態の建具における開閉体の停止時の動作を示す図である。
【図１２】第２実施形態の建具の正面図である。
【図１３】第２実施形態の建具の断面図である。
【図１４】第２実施形態の建具の断面図である。
【図１５】第２実施形態の建具の断面図である。
【図１６】第２実施形態の上枠を含む建具の一部を拡大して示す断面図である。
【図１７】第２実施形態の当接部材を示す図である。
【図１８】第２実施形態の建具における開閉体の停止時の動作を示す図である。
【発明を実施するための形態】
【０００９】
本発明の建具の一実施形態について、図面を参照して説明する。
本実施形態の建具は、スライド式の開閉体を備えた建具である。以下では、片引戸を例にとり、建具の２つの実施形態について説明する。また、建具は、浴室用のドアであり、浴室の出入口に設置される。
【００１０】
（第１実施形態）
図１は、第１実施形態の建具１の正面図であり、浴室側からみた建具１の概略構成を模式的に示している。図１において、水平方向は左右方向であり、垂直方向は上下方向である。
図示のように、建具１は、内動引戸であり、枠体４と、枠体４に固定された固定体１０と、枠体４に開閉可能に連結された開閉体２０を備えている。枠体４は、建物の開口部に設置される方形状の引戸枠であり、方形状の固定体１０と開閉体２０を囲む。枠体４の内側部は、開口部４Ａと、固定体１０により閉鎖される閉鎖部４Ｂからなる。枠体４の内側部において、開口部４Ａは、左右方向の一方側部であり、閉鎖部４Ｂは、左右方向の他方側部である。
【００１１】
固定体１０が枠体４の閉鎖部４Ｂに配置され、固定体１０と開閉体２０が枠体４の奥行方向にずらして配置される。開閉体２０は、スライドにより移動する障子（スライド体）であり、枠体４内のスライド領域で、スライド方向Ｓに移動する。スライド領域は、開閉体２０の移動領域であり、スライド方向Ｓは、開閉体２０の移動方向（ここでは、左右方向）である。スライド移動により、開閉体２０は、枠体４の開口部４Ａと閉鎖部４Ｂとに移動して開閉する。開閉体２０により、枠体４の開口部４Ａが開閉される。
【００１２】
開口部４Ａの閉鎖時に、開閉体２０は、スライド方向Ｓの一方側（閉鎖方向Ｓ１）に移動（スライド）して、枠体４の開口部４Ａに配置される。これにより、開閉体２０は、枠体４の開口部４Ａを閉鎖する全閉位置に配置される。開口部４Ａの開放時に、開閉体２０は、スライド方向Ｓの他方側（開放方向Ｓ２）に移動して、枠体４の閉鎖部４Ｂに配置される。これにより、開閉体２０は、枠体４の開口部４Ａを開放する全開位置に配置されて、枠体４の奥行方向において固定体１０と重なる。
【００１３】
図２〜図５は、第１実施形態の建具１の断面図である。図２は、建具１を図１のＸ１−Ｘ１線で切断した縦断面図であり、枠体４の開口部４Ａにおける断面を示している。図３は、建具１を図１のＸ２−Ｘ２線で切断した縦断面図であり、枠体４の閉鎖部４Ｂにおける断面を示している。図４、図５は、建具１を図２、図３のＸ３−Ｘ３線で切断した横断面図である。図４は、開閉体２０により枠体４の開口部４Ａを閉鎖した状態を示し、図５は、開閉体２０により枠体４の開口部４Ａを開放した状態を示している。
【００１４】
図示のように、建具１は、建物３０の開口部に設置されて、建物３０の２つの空間の間に配置される。２つの空間は、開閉体２０の両側に位置し、開閉体２０により仕切られる。ここでは、２つの空間のうち、一方の空間が脱衣室であり、他方の空間が浴室である。従って、建具１の一方側は脱衣室側であり、建具１の他方側は浴室側である。枠体４の内側部で、固定体１０が脱衣室側に配置され、開閉体２０が浴室側に配置される。開閉体２０は、固定体１０よりも浴室側で、スライド方向Ｓの両方向に移動する。
【００１５】
固定体１０は、パネル体１１と、パネル体１１を保持する框体１２を有する。框体１２は、枠組みされた４つの框１３〜１６（上框１３、下框１４、一対の縦框１５、１６）を有する。框１３〜１６は、框体１２を構成する長尺な框材であり、例えば、押出成形により中空状に形成され、方形状に組み合わされる。パネル体１１は、方形状の面材であり、框体１２に嵌め込まれる。
【００１６】
開閉体２０は、パネル体２１と、パネル体２１を保持する框体２２と、開閉体２０の移動時に用いられる２つのハンドル２３と、複数の支持軸２４と、複数のガイドローラ２５を有する。框体２２は、枠組みされた４つの框２６〜２９（上框２６、下框２７、一対の縦框２８、２９）を有する。框２６〜２９は、框体２２を構成する長尺な框材であり、例えば、押出成形により中空状に形成され、方形状に組み合わされる。
【００１７】
パネル体２１は、方形状の面材であり、框体２２に嵌め込まれる。２つのハンドル２３は、パネル体２１に取り付けられて、開閉体２０の浴室側と脱衣室側とに設けられる。複数の支持軸２４は、上框２６に取り付けられて、框体２２から上方に突出する。複数のガイドローラ２５は、それぞれ支持軸２４に回転可能に支持されて、枠体４に連結される。２つの支持軸２４と２つのガイドローラ２５が、開閉体２０のスライド方向Ｓの複数箇所で並置される。
【００１８】
枠体４は、枠組みされた４つの枠５〜８（上枠５、下枠６、一対の縦枠７、８）を有する。枠５〜８は、枠体４を構成する長尺な枠材であり、例えば、押出成形により形成され、方形状に組み合わされる。枠体４は、ネジ３１により、建物３０の開口縁部３２に取り付けられて、方形状の開口部４Ａを形成する。固定体１０は、浴室側に形成された取付部１７（図４、図５参照）を有し、枠体４により閉鎖部４Ｂに保持される。固定体１０の取付部１７は、枠体４の開口部４Ａ側に位置する框体１２の縦框１６に形成されるとともに、縦框１６の長手方向に沿って連続して形成されている。タイト材３３が、固定体１０の取付部１７に取り付けられて、固定体１０から浴室側に向かって突出する。
【００１９】
一方の縦枠７は、枠体４の開口部４Ａ側に配置される開口部側縦枠であり、開口部４Ａの内側に向かって突出する中空状の突出部７Ａと、突出部７Ａの浴室側に形成された取付部７Ｂを有する。取付部７Ｄは、縦枠７の長手方向に沿って連続して形成される。タイト材３４が、縦枠７の取付部７Ｂに取り付けられて、浴室側に向かって突出する。他方の縦枠８は、枠体４の閉鎖部４Ｂ側に配置される閉鎖部側縦枠である。固定体１０は、縦枠８に固定されて、上枠５及び下枠６の長手方向に沿って配置される。
【００２０】
下枠６は、固定体１０と開閉体２０の間の領域に形成された取付部６Ａ（図２、図３参照）と、下枠６の長手方向に沿って形成された取付溝６Ｂと、取付溝６Ｂに取り付けられたレール６Ｃを有する。レール６Ｃは、上側に向かって突出し、開閉体２０のスライド方向Ｓに沿って配置される。開閉体２０は、レール６Ｃに載置されて、レール６Ｃの上でスライドする。
【００２１】
取付部６Ａが下枠６の長手方向に沿って連続して形成されて、２つのタイト材３５、３７が下枠６の取付部６Ａに取り付けられる。一方のタイト材３５は、枠体４の開口部４Ａに配置されて、浴室側に向かって突出する。他方のタイト材３７は、枠体４の閉鎖部４Ｂに配置されて、上側に向かって突出する。また、タイト材３７は、固定体１０の浴室側に配置されて、固定体１０の下部（框体１２の下框１４）に接触する。
【００２２】
上枠５は、上枠５のベース部材である上枠本体５Ａと、上枠本体５Ａに装着される中空状の装着部材５Ｂと、装着部材５Ｂに形成された取付部５Ｃと、開閉体２０のスライド方向Ｓに沿って延びる２つのガイド溝５Ｄと、下側に向かって突出する２つの垂下片５Ｅ、５Ｆ（第１垂下片５Ｅ、第２垂下片５Ｆ）を有する。装着部材５Ｂは、枠体４の開口部４Ａに配置されて、上枠本体５Ａから下側に向かって突出する。取付部５Ｃは、装着部材５Ｂの浴室側で、上枠５の長手方向に連続して形成される。タイト材３６が、上枠５の取付部５Ｃに取り付けられて、装着部材５Ｂから浴室側に向かって突出する。
【００２３】
２つのガイド溝５Ｄと２つの垂下片５Ｅ、５Ｆは、上枠本体５Ａに形成されている。２つのガイド溝５Ｄは、開閉体２０のスライド領域の上側で並列に形成されて、それぞれ開閉体２０のガイドローラ２５を収容する。ガイドローラ２５及び開閉体２０は、ガイド溝５Ｄによりスライド方向Ｓにガイドされる。ガイド溝５Ｄに連結されたガイドローラ２５により、開閉体２０が枠体４にスライド可能に連結される。開閉体２０は、スライド方向Ｓ（ここでは、上枠５と下枠６の長手方向）にスライドして移動（開閉）する。
【００２４】
第１垂下片５Ｅは、上枠５の浴室側の端部に形成された浴室側垂下片であり、第２垂下片５Ｆは、上枠５の脱衣室側の端部に形成された脱衣室側垂下片である。第１垂下片５Ｅと第２垂下片５Ｆは、互いに対向して配置される。装着部材５Ｂ、タイト材３６、ガイド溝５Ｄ、固定体１０の上部（框体１２の上框１３）、及び、開閉体２０の上部（框体２２の上框２６）は、第１垂下片５Ｅと第２垂下片５Ｆの間に配置される。
【００２５】
タイト材３３〜３７は、弾性変形可能な水密材であり、軟質材（例えば、軟質樹脂、ゴム）で形成される。タイト材３３〜３７のうち、４つのタイト材３３〜３６は、開閉体２０に接触する開閉体用タイト材であり、開閉体２０に向かって突出する。開閉体２０により枠体４の開口部４Ａを閉鎖した状態（図２、図４に示す開閉体２０を全閉位置に配置した状態）で、タイト材３３〜３６は、それぞれ開閉体２０に設けられたタイト部Ｔ１〜Ｔ４に沿って配置されて、開閉体２０のタイト部Ｔ１〜Ｔ４に接触する。
【００２６】
ここでは、開閉体２０のタイト部Ｔ１〜Ｔ４は、開閉体２０の縁部（框体２２の框２６〜２９）であり、開閉体２０のタイトラインに沿って延びる。タイトラインは、開閉体２０の縁部に設定されて、開閉体２０の縁部に沿って延びる。１つのタイト材３３は、固定体１０に取り付けられて、固定体１０と開閉体２０（タイト部Ｔ１）の間に配置され、固定体１０と開閉体２０の間の隙間を閉塞する。３つのタイト材３４〜３６は、枠体４に取り付けられて、枠体４と開閉体２０（タイト部Ｔ２〜Ｔ４）の間に配置され、枠体４と開閉体２０の間の隙間を閉塞する。タイト材３３〜３６は、開閉体２０の縁部に沿って配置されて、開閉体２０の縁部をシールする。
【００２７】
建具１は、上枠５と固定体１０の間に形成された通気路４０（図３参照）と、通気路４０を開閉する開閉弁４１と、枠体４に着脱可能に取り付けられたカバー部材４２（図２参照）と、開閉体２０による衝撃を緩和する緩衝装置５０を備えている。通気路４０は、枠体４の閉鎖部４Ｂ側で、固定体１０により仕切られた２つの空間（脱衣室、浴室）に開口して、２つの空間の間で通気を行う。開閉弁４１は、上枠５に取り付けられて、回動により、通気路４０を閉鎖する位置と、通気路４０を開放する位置とに移動する。カバー部材４２は、枠体４の開口部４Ａで、開閉体２０に対して脱衣室側に配置される。また、カバー部材４２は、枠体４の上枠５に取り付けられて、上枠５の長手方向に沿って配置される。
【００２８】
図６は、第１実施形態の上枠５を含む建具１の一部を拡大して示す断面図であり、カバー部材４２を上枠５から分離させた状態を示している。
図示のように、ネジ３８を外した後に、カバー部材４２は、枠体４の上枠５から取り外されて、枠体４から分離する。カバー部材４２は、上枠５の見込み方向（奥行方向）に沿って配置される板状の遮蔽部４３と、開閉体２０に対向する対向部４４と、上枠５に係止される２つの係止部４５、４６（第１係止部４５、第２係止部４６）と、上枠５に固定される固定部４７を有する。
【００２９】
遮蔽部４３は、対向部４４の下端部から浴室側と脱衣室側とに突出し、対向部４４は、遮蔽部４３から上側に突出する。第１係止部４５は、遮蔽部４３の脱衣室側の端部に形成され、第２係止部４６は、対向部４４の上端部から脱衣室側に突出する。固定部４７は、対向部４４の上端部から浴室側に突出する。枠体４の上枠５は、脱衣室側の第２垂下片５Ｆに形成された溝状の第１係止受け部５Ｇと、装着部材５Ｂに形成された溝状の第２係止受け部５Ｈを有する。
【００３０】
カバー部材４２は、枠体４の開口部４Ａから上枠５に向かって移動して、上枠５に取り付けられる。その際、第１係止部４５と第２係止部４６が、それぞれ第１係止受け部５Ｇと第２係止受け部５Ｈに挿入されて、第１係止受け部５Ｇと第２係止受け部５Ｈに係止される。これにより、カバー部材４２は、枠体４の上枠５（第２垂下片５Ｆ、装着部材５Ｂ）に係止される。その状態で、ネジ３８が、固定部４７に形成された貫通孔に挿入されて、装着部材５Ｂに形成されたネジ孔に取り付けられる。固定部４７は、ネジ３８により、上枠５の装着部材５Ｂに固定される。これにより、カバー部材４２が上枠５に取り付けられる（図２参照）。
【００３１】
カバー部材４２は、上枠５の第２垂下片５Ｆと開閉体２０の間に配置されて、第２垂下片５Ｆと装着部材５Ｂの間の空所を塞ぐ。また、建具１の上部を脱衣室側からみたときに、カバー部材４２の遮蔽部４３により、第２垂下片５Ｆと開閉体２０の間の部分が遮蔽される。カバー部材４２の対向部４４は、開閉体２０の縁部（ここでは、開閉体２０の上縁部である框体２２の上框２６）に対して脱衣室側に配置されて、開閉体２０の縁部と対向する。
【００３２】
開閉体２０は、スライドにより移動するとともに、枠体４内の所定の停止位置で停止する。緩衝装置５０は、開閉体２０が停止位置に到達する前に開閉体２０を減速させて、開閉体２０の停止位置での停止時における衝撃を緩和する。緩衝装置５０により、全閉位置への移動時と全開位置への移動時の少なくとも一方における開閉体２０による衝撃が緩和される。ここでは、開閉体２０の全閉位置への移動時と全開位置への移動時の両方において、緩衝装置５０により衝撃が緩和される。そのため、開閉体２０の停止位置は、全閉位置と全開位置である。
【００３３】
緩衝装置５０は、開閉体２０を減速させる減速装置５１と、減速装置５１を作動させる作動部５２を有する（図２、図６参照）。減速装置５１は、枠体４に設けられ、作動部５２は、開閉体２０に設けられる。また、減速装置５１は、ネジ５３により、カバー部材４２に取り付けられて、カバー部材４２により保持される。カバー部材４２と減速装置５１は、一体に、枠体４に取り付けられるとともに、枠体４から取り外される。減速装置５１は、カバー部材４２により、枠体４の上枠５に取り付けられて、上枠５の長手方向に沿って配置される。作動部５２は、ネジ５４により、開閉体２０の縁部に取り付けられて、カバー部材４２と対向する。
【００３４】
図７は、第１実施形態の緩衝装置５０を示す図であり、緩衝装置５０の内部構造を破線で示している。図７Ａは、図２の矢印Ｘ４方向からみた緩衝装置５０を示す平面図であり、図７Ｂは、図７ＡのＸ５−Ｘ５線で切断した緩衝装置５０の一部を示す断面図である。
図示のように、作動部５２は、ブロック状に形成された作動部材であり、開閉体２０の縁部（上縁部）において閉鎖方向Ｓ１前方の端部に近接して設けられる。また、作動部５２は、開閉体２０から脱衣室側に突出し、減速装置５１の浴室側で、開閉体２０と一体にスライド方向Ｓ（閉鎖方向Ｓ１、開放方向Ｓ２）に移動する。
【００３５】
減速装置５１は、筒状のケース６０と、開閉体２０を制動する制動機構７０と、作動部５２と当接する板状の当接部材８０と、当接部材８０を制動機構７０に連結する連結部材５５と、連結部材５５に取り付けられた２つの規制部材５６、５７（第１規制部材５６、第２規制部材５７）と、当接部材８０をガイドするガイド手段５８を有する。減速装置５１、ケース６０、制動機構７０、及び、当接部材８０は、開閉体２０のスライド方向Ｓに沿って配置される。減速装置５１は、制動機構７０により、移動する開閉体２０を制動して、開閉体２０の移動速度（スライド速度）を減速させる。
【００３６】
ケース６０は、並列して配置された一対のケース部材６１と、ケース６０の長手方向の両端部に設けられた２つのキャップ６２と、一対のケース部材６１の間に形成された少なくとも１つの隙間（ここでは、２つの隙間６３、６４）と、一対のケース部材６１に形成されたガイド部６５を有する。２つのキャップ６２が一対のケース部材６１の両端部に装着されて、ケース６０が組み立てられる。一対のケース部材６１は、上下方向に離間した状態で、互いに対向して配置される。
【００３７】
２つの隙間６３、６４は、ケース６０の浴室側（作動部５２側）に設けられた第１隙間６３と、ケース６０の脱衣室側に設けられた第２隙間６４からなる。隙間６３、６４は、それぞれ一対のケース部材６１の縁部の間に形成されて、一対のケース部材６１の長手方向の全長にわたって延びる。ガイド部６５は、浴室側に位置する一対のケース部材６１の縁部であり、ケース６０の長手方向（開閉体２０のスライド方向Ｓ）に沿って形成される。第１隙間６３は、一対のケース部材６１のガイド部６５の間に位置し、ガイド部６５に沿って形成される。
【００３８】
制動機構７０と連結部材５５は、一対のケース部材６１の間に配置されて、ケース６０の内側に収容される。当接部材８０は、ケース６０の外側で、ケース６０及び制動機構７０に並列して配置され、ケース６０から露出する。ガイド部６５と第１隙間６３は、制動機構７０と当接部材８０の間に位置する。当接部材８０は、ケース６０よりも短い板状部材であり、ガイド部６５及び第１隙間６３に沿って移動する。制動機構７０は、伸縮機構であるダンパー（ショックアブソーバー）である。当接部材８０が制動機構７０を収縮させるときに、制動機構７０は、減衰力を発揮して、当接部材８０を制動する。
【００３９】
図８は、第１実施形態の制動機構７０の動作を示す断面図であり、長手方向に沿って切断した制動機構７０を模式的に示している。
図示のように、制動機構７０は、伸縮式のシリンダーダンパーであり、開閉体２０のスライド方向Ｓに沿う伸縮方向Ｋ（収縮方向Ｋ１、伸長方向Ｋ２）に伸縮する。ここでは、制動機構７０の伸縮方向Ｋ、収縮方向Ｋ１、伸長方向Ｋ２を、それぞれ、単に、伸縮方向Ｋ、収縮方向Ｋ１、伸長方向Ｋ２という。収縮方向Ｋの一方側が収縮方向Ｋ１であり、収縮方向Ｋの他方側が伸長方向Ｋ２である。
【００４０】
制動機構７０は、筒状の制動部７１と、伸縮方向Ｋに移動可能な可動部７２と、可動部７２に形成されたオリフィス孔７３と、制動部７１内に充填された粘性流体であるオイル７４と、制動部７１内に収容された復帰手段７５を有する。制動機構７０、制動部７１、及び、可動部７２は、伸縮方向Ｋ（開閉体２０のスライド方向Ｓ）に沿って配置される。制動部７１は、シリンダー部であり、ケース６０に固定される。可動部７２は、制動部７１内で伸縮方向Ｋに移動するピストン７６と、ピストン７６と一体に移動するピストンロッド７７を有する。
【００４１】
ピストンロッド７７は、ピストン７６から伸長方向Ｋ２側に向かって形成されて、制動部７１から伸長方向Ｋ２側に突出する。可動部７２の先端部７８は、制動部７１の外側に位置し、制動部７１から離間した位置（図８Ａ参照）と制動部７１に接触する位置（図８Ｃ参照）とに移動する。ピストン７６により、制動部７１内の空間が２つの空間に区画される。オリフィス孔７３は、ピストン７６を貫通して、ピストン７６の両側の空間を連通させる。
【００４２】
可動部７２は、収縮方向Ｋ１と伸長方向Ｋ２に移動可能に制動部７１に連結されて、制動部７１に対して進退する。可動部７２の収縮方向Ｋ１への移動により、制動機構７０が収縮し、可動部７２の伸長方向Ｋ２への移動により、制動機構７０が伸長する。可動部７２の移動時に、ピストン７６は、制動部７１内で収縮方向Ｋ１と伸長方向Ｋ２に移動する。ピストン７６の移動に伴い、オイル７４は、オリフィス孔７３を通って、ピストン７６の移動方向の反対側（矢印Ｆ参照）に向かって流動する。その際、オイル７４に摩擦熱が発生するとともに、オイル７４により、ピストン７６及び可動部７２に抵抗が加えられ、可動部７２の運動エネルギが吸収される。これにより、制動機構７０は、減衰力を発揮して、ピストン７６及び可動部７２を制動する。
【００４３】
復帰手段７５は、付勢部材（ここでは、圧縮コイルばね）であり、制動部７１内で、可動部７２のピストン７６に対して収縮方向Ｋ１側に配置される。可動部７２の収縮方向Ｋ１への移動時に、可動部７２は、制動部７１により制動されて減速する。また、可動部７２の先端部７８が制動部７１に接触して、可動部７２が停止する。
【００４４】
可動部７２の収縮方向Ｋ１への移動に伴い、ピストン７６により、復帰手段７５が圧縮される。その状態で、復帰手段７５は、可動部７２のピストン７６を伸長方向Ｋ２に向かって付勢する。これにより、ピストン７６及び可動部７２が伸長方向Ｋ２に移動する。また、復帰手段７５により、制動機構７０は、収縮状態から収縮方向Ｋ１の反対側に向かって伸長方向Ｋ２に伸長し、所定長さの伸長状態に復帰する。復帰手段７５の付勢により、制動機構７０は、待機状態である伸長状態に維持される。
【００４５】
連結部材５５（図７参照）は、可動部７２の先端部７８に取り付けられる。第１規制部材５６は、ネジであり、ケース６０の第１隙間６３を通して、連結部材５５と当接部材８０に取り付けられる。当接部材８０は、第１規制部材５６と連結部材５５により制動機構７０（可動部７２の先端部７８）に連結される。連結部材５５と当接部材８０は、可動部７２と一体に伸縮方向Ｋに移動する。当接部材８０が作動部５２と当接して作動部５２により収縮方向Ｋ１に向かって押されたときに（図７の矢印Ｐ１参照）、減速装置５１が作動して開閉体２０を減速させる。その際、当接部材８０は、制動機構７０を収縮させて、制動機構７０により制動される。
【００４６】
当接部材８０は、制動機構７０に連結される連結部８１と、作動部５２と当接する当接部８２と、連結部８１と当接部８２の間で制動機構７０に並列する並列部８３を有する。連結部８１は、制動機構７０の伸長方向Ｋ２前方の端部（先端部７８）側に位置し、当接部８２は、制動機構７０の収縮方向Ｋ１前方の端部側に位置する。第１規制部材５６が連結部８１に取り付けられて、第１規制部材５６と連結部材５５により、連結部８１が可動部７２に連結される。当接部８２は、浴室側に向かって屈曲するフック部であり、連結部８１に対して制動部７１側（収縮方向Ｋ１側）に位置する。当接部材８０は、連結部８１から当接部８２に向かって収縮方向Ｋ１に延び、制動機構７０に沿って配置される。
【００４７】
第２規制部材５７は、頭部がケース６０内に配置されたネジであり、ケース６０の第１隙間６３を通して、当接部材８０の並列部８３に取り付けられる。第２規制部材５７は、連結部８１及び第１規制部材５６よりも収縮方向Ｋ１側（当接部８２側）に位置し、頭部によりケース６０のガイド部６５に移動可能に係止される。第１隙間６３内で、規制部材５６、５７は、一対のケース部材６１のガイド部６５の間に配置されて、ガイド部６５に沿って移動する。ガイド手段５８は、ガイド部６５と、ガイド部６５により伸縮方向Ｋにガイドされる規制部材５６、５７からなる。
【００４８】
当接部材８０は、伸縮方向Ｋ（収縮方向Ｋ１、伸長方向Ｋ２）に沿って配置された状態で、収縮方向Ｋ１と伸長方向Ｋ２に移動する。その際、ガイド手段５８は、当接部材８０を収縮方向Ｋ１と伸長方向Ｋ２にガイドする。また、ガイド手段５８は、規制部材５６、５７により、伸縮方向Ｋ以外の方向への当接部材８０の移動を規制して、当接部材８０を伸縮方向Ｋにのみガイドする。ガイド手段５８のガイドにより、当接部材８０は、伸縮方向Ｋにのみ移動する。
【００４９】
開閉体２０の停止位置へ向かう移動に伴い（図７の矢印Ｐ１参照）、作動部５２は、当接部材８０に沿ってスライド方向Ｓ（ここでは、閉鎖方向Ｓ１）に移動し、減速装置５１と当接して、減速装置５１を作動させる。その際、作動部５２は、当接部材８０の当接部８２に当接して、当接部８２に引っ掛かり、当接部材８０を収縮方向Ｋ１に向かって押す。当接部材８０は、作動部５２とともにスライド方向Ｓ及び収縮方向Ｋ１に移動し、制動機構７０の可動部７２を収縮方向Ｋ１に移動させて、制動機構７０を収縮させる。
【００５０】
制動機構７０は、収縮方向Ｋ１への収縮時に、開閉体２０を制動して、停止位置に向かって移動する開閉体２０を減速させる。その際、制動機構７０は、当接部材８０と作動部５２を介して、開閉体２０に対して減衰力を発揮する。開閉体２０の運動エネルギは、制動機構７０により吸収されて減衰する。減速装置５１は、制動機構７０により、開閉体２０に制動力を加えて、開閉体２０を減速させる。これにより、緩衝装置５０は、開閉体２０の停止時に建具１に加えられる衝撃を吸収して緩和する。
【００５１】
開閉体２０は、例えば、枠体４に設けられたストッパーに接触して、停止位置で停止する。開閉体２０の衝突荷重は、減速装置５１で受けずに、ストッパーで受けられる。開閉体２０の停止位置からの移動に伴い（図７の矢印Ｐ２参照）、作動部５２は、スライド方向Ｓ（ここでは、開放方向Ｓ２）に移動して、減速装置５１から離間する。その際、作動部５２は、伸長方向Ｋ２に移動して、当接部材８０の当接部８２から離間する。また、復帰手段７５により、可動部７２が当接部材８０とともに伸長方向Ｋ２に移動して、制動機構７０が伸長する。これにより、制動機構７０は、収縮前の元の状態（伸長状態）に復帰する。
【００５２】
上枠５において（図２参照）、カバー部材４２は、減速装置５１の少なくとも制動機構７０を覆う。ここでは、制動機構７０とケース６０がカバー部材４２により覆われ、当接部材８０がカバー部材４２から露出する。ケース６０は、ネジ５３によりカバー部材４２の対向部４４に取り付けられて、カバー部材４２により保持される。カバー部材４２は、対向部４４に伸縮方向Ｋ（スライド方向Ｓ）に沿って形成された細長い孔４８を有する。減速装置５１の規制部材５６、５７は、カバー部材４２の孔４８を貫通し、孔４８内で伸縮方向Ｋに移動する。当接部材８０は、カバー部材４２の浴室側に配置され、当接部材８０の当接部８２は、浴室側に突出する。
【００５３】
図９は、第１実施形態の当接部材８０と作動部５２の当接について説明するための断面図であり、上枠５を含む建具１の一部を図２に対応させて示している。
図２、図９に示すように、開閉体２０の調整に伴い、開閉体２０の上下方向の位置が変化することがある。この場合には、作動部５２が当接部材８０に対して上下方向に変位して、当接部材８０の当接部８２に対する作動部５２の当接部分が変化する。この緩衝装置５０では、作動部５２に対する当接部材８０の位置が変化したときでも、作動部５２が当接部８２と当接することで、減速装置５１が作動する。
【００５４】
開閉体２０の２つの停止位置（全閉位置、全開位置）に対応して、緩衝装置５０の減速装置５１は、開閉体２０のスライド方向Ｓにおける２箇所（図１、図４、図５に示すＲ１部とＲ２部）に設けられる。開閉体２０が全閉位置と全開位置のそれぞれで停止するときに、緩衝装置５０は、開閉体２０を減速させて、開閉体２０の停止に伴う衝撃を緩和する。
【００５５】
建具１（図２、図４参照）は、開閉体２０のタイト部Ｔ１〜Ｔ４をシールするタイト材３３〜３６を備えている。開閉体２０を全閉位置に配置した状態で、緩衝装置５０の２つの減速装置５１は、タイト材３３〜３６に対して、開閉体２０により仕切られた２つの空間のうちの一方の空間側に設けられる。また、開閉体２０の移動時に、２つの減速装置５１は、一方の空間側で作動部５２と当接して作動する。ここでは、一方の空間は脱衣室である。開閉体２０を全閉位置に配置した状態で、緩衝装置５０、減速装置５１、及び、作動部５２は、タイト材３３〜３６、及び、開閉体２０のタイトラインに対して脱衣室側に設けられる。また、タイト材３３〜３６は、緩衝装置５０から他方の空間（浴室）までの間に設けられる。減速装置５１は、開閉体２０の脱衣室側のみにおいて、作動部５２と当接して作動する。
【００５６】
図１０、図１１は、第１実施形態の建具１における開閉体２０の停止時の動作を示す図であり、左右方向に切断した建具１の一部を模式的に示している。
図示のように、開閉体２０の減速区間Ｇ１、Ｇ２が枠体４内に設定される。減速区間Ｇ１、Ｇ２は、減速装置５１により開閉体２０を減速させる区間であり、開閉体２０のスライド領域に設定される。ここでは、開閉体２０の２つの停止位置（全閉位置、全開位置）に対応して、２つの減速区間Ｇ１、Ｇ２（全閉側減速区間Ｇ１、全開側減速区間Ｇ２）が設定される。
【００５７】
２つの減速装置５１のうち、一方の減速装置５１は、全閉側減速区間Ｇ１（図１０参照）に設けられ、他方の減速装置５１は、全開側減速区間Ｇ２（図１１参照）に設けられる。２つの減速装置５１は、スライド方向Ｓに沿って、互いに反対向きに配置される。全閉側減速区間Ｇ１の減速装置５１では、収縮方向Ｋ１が閉鎖方向Ｓ１に沿う方向であり、伸長方向Ｋ２が開放方向Ｓ２に沿う方向である。全開側減速区間Ｇ２の減速装置５１では、収縮方向Ｋ１が開放方向Ｓ２に沿う方向であり、伸長方向Ｋ２が閉鎖方向Ｓ１に沿う方向である。開閉体２０の１つの作動部５２が、全閉側減速区間Ｇ１側と全開側減速区間Ｇ２側とで移動して、２つの減速装置５１のそれぞれを作動させる。
【００５８】
開閉体２０により枠体４の開口部４Ａを閉鎖するときには（図１０参照）、開閉体２０を全閉位置に向かって移動させる。これにより、開閉体２０と作動部５２がスライド方向Ｓ（閉鎖方向Ｓ１）に移動して、開閉体２０が全閉位置で停止する。全閉側減速区間Ｇ１側で開閉体２０が閉鎖方向Ｓ１に移動するときに、作動部５２は、当接部材８０の当接部８２に当接して、当接部材８０とともに閉鎖方向Ｓ１に移動する。開閉体２０の移動に伴い、当接部材８０は、作動部５２と当接して、制動機構７０を収縮させる。減速装置５１は、制動機構７０により、開閉体２０を制動して減速させる。緩衝装置５０により、開閉体２０の移動速度が制動前の速度よりも遅い速度に減速されて、開閉体２０の停止時（全閉時）における建具１の衝撃が緩和される。
【００５９】
開閉体２０により枠体４の開口部４Ａを開放するときには（図１１参照）、開閉体２０を全開位置に向かって移動させる。これにより、開閉体２０と作動部５２がスライド方向Ｓ（開放方向Ｓ２）に移動して、開閉体２０が全開位置で停止する。全開側減速区間Ｇ２側で開閉体２０が開放方向Ｓ２に移動するときに、作動部５２は、当接部材８０の当接部８２に当接して、当接部材８０とともに開放方向Ｓ２に移動する。開閉体２０の移動に伴い、当接部材８０は、作動部５２と当接して、制動機構７０を収縮させる。減速装置５１は、制動機構７０により、開閉体２０を制動して減速させる。緩衝装置５０により、開閉体２０の移動速度が制動前の速度よりも遅い速度に減速されて、開閉体２０の停止時（全開時）における建具１の衝撃が緩和される。
【００６０】
以上説明した建具１では、簡単な構造の緩衝装置５０により、開閉体２０の停止時における衝撃を安定して緩和することができる。作動部５２に対する当接部材８０の位置が変化したときでも、当接部材８０が作動部５２と当接することで、開閉体２０を制動することができる。そのため、緩衝装置５０の調整のための手間を削減して、建具１を容易に設置することができる。減速装置５１と作動部５２を枠体４と開閉体２０のそれぞれに予め設けて、開閉体２０を枠体４に連結することで、緩衝装置５０を作動可能な状態にすることができる。
【００６１】
当接部材８０は、制動機構７０と並列して配置されて、制動機構７０を収縮させる。そのため、減速装置５１をコンパクトにできるとともに、減速装置５１を容易にユニット化することができる。また、建具１における減速装置５１の配置スペースを小さくでき、減速装置５１を建具１に容易に設けることができる。反転させた同じ減速装置５１により、スライド方向Ｓの両方向に移動する開閉体２０を減速させることができる。従って、緩衝装置５０の汎用性を高めて、緩衝装置５０を種々の建具１に設けることができる。
【００６２】
制動機構７０が制動部７１と可動部７２を有しており、簡単な構造の制動機構７０により、開閉体２０を安定して制動することができる。当接部材８０を制動機構７０に沿って配置することで、減速装置５１をコンパクトにしつつ、当接部材８０による可動部７２の移動を円滑に行うことができる。ガイド手段５８により当接部材８０をガイドするため、制動機構７０を正確に伸縮させることができる。カバー部材４２により減速装置５１を保持することで、減速装置５１の枠体４への着脱を容易に行うことができ、カバー部材４２により、制動機構７０を保護することもできる。
【００６３】
減速装置５１は、タイト材３３〜３６に対して一方の空間（脱衣室）側に設けられて、一方の空間側で作動部５２と当接する。そのため、タイト材３３〜３６に阻害されずに、減速装置５１を円滑に作動させることができる。また、開閉体２０により枠体４の開口部４Ａを閉鎖したときに、減速装置５１を水や水蒸気等から保護することができる。減速装置５１を枠体４に設けるときには、建具１の構造をより簡単にすることができる。作動部５２は、開閉体２０の閉鎖方向Ｓ１前方の端部に近接して配置するのが好ましい。このようにすることで、開閉体２０のスライド領域を広くして、建具１の有効開口をより大きくすることができる。
【００６４】
（第２実施形態）
次に、第２実施形態の建具について、第１実施形態の建具１と相違する事項を説明する。第２実施形態の建具に関し、第１実施形態の建具１の構成に相当する構成には、建具１の構成と同じ名称と符号を用い、第１実施形態の建具１と同じ事項の説明は省略する。
【００６５】
図１２は、第２実施形態の建具２の正面図であり、脱衣室側からみた建具２の概略構成を模式的に示している。図１３〜図１５は、第２実施形態の建具２の断面図である。図１３は、建具２を図１２のＸ６−Ｘ６線で切断した縦断面図であり、枠体４の開口部４Ａにおける断面を示している。図１４は、建具２を図１２のＸ７−Ｘ７線で切断した縦断面図であり、枠体４の閉鎖部４Ｂにおける断面を示している。図１５は、建具２を図１３、図１４のＸ８−Ｘ８線で切断した横断面図であり、開閉体２０により枠体４の開口部４Ａを閉鎖した状態を示している。
【００６６】
図示のように、建具２は、外動引戸であり、枠体４と、固定体１０と、開閉体２０を備えている。枠体４の内側部で、固定体１０が浴室側に配置され、開閉体２０が脱衣室側に配置される。開閉体２０は、固定体１０よりも脱衣室側で、スライド方向Ｓに移動する。上枠５は、上枠本体５Ａに形成された第１垂下片５Ｅと、カバー部材４２に形成された第２垂下片５Ｆと、装着部材５Ｂに形成されたレール５Ｋを有する。開閉体２０は、レール５Ｋによりスライド方向Ｓにガイドされる。通気路４０は、枠体４の開口部４Ａ側で、上枠５に形成され、開閉弁４１は、上枠本体５Ａと装着部材５Ｂの間に配置される。
【００６７】
図１６は、第２実施形態の上枠５を含む建具２の一部を拡大して示す断面図であり、カバー部材４２を上枠５から分離させた状態を示している。
図１３、図１６に示すように、カバー部材４２は、遮蔽部４３と対向部４４を有し、ネジ３８により、上枠５の装着部材５Ｂに取り付けられる。遮蔽部４３は、対向部４４の脱衣室側の端部から上側に突出し、浴室側に屈曲する。第２垂下片５Ｆは、対向部４４の脱衣室側の端部から下側に突出する。カバー部材４２と減速装置５１は、開閉体２０に対して上側に配置される。
【００６８】
図１７は、第２実施形態の当接部材８０を示す図であり、図１７Ａは、図１６に対応する当接部材８０の側面図である。図１７Ｂは、図１７Ａの矢印Ｘ９方向からみた当接部材８０の正面図であり、図１７Ｃは、図１７Ａの矢印Ｘ１０方向からみた当接部材８０の底面図である。
図示のように、当接部材８０の当接部８２は、下側に向かって突出する突片である。作動部５２は、減速装置５１の下側（図１３参照）で移動して、当接部８２に当接する。
【００６９】
図１８は、第２実施形態の建具２における開閉体２０の停止時の動作を示す図であり、全閉側減速区間Ｇ１に設けられた減速装置５１を示している。図１８Ａは、左右方向に切断した建具２の一部を模式的に示し、図１８Ｂ、図１８Ｃは、脱衣室側からみた建具２の一部を模式的に示している。また、図１８Ａ、図１８Ｂは、作動部５２が当接部材８０の当接部８２と当接するときの状態を示し、図１８Ｃは、開閉体２０が全閉位置で停止したときの状態を示している。
【００７０】
図示のように、全閉側減速区間Ｇ１側で開閉体２０が閉鎖方向Ｓ１に移動するときに、当接部材８０は、作動部５２と当接して、制動機構７０を収縮させる。減速装置５１は、制動機構７０により、開閉体２０を制動して減速させる。また、全閉側減速区間Ｇ１側と同様に、全開側減速区間Ｇ２側でも、減速装置５１により、開閉体２０が制動されて減速される。
【００７１】
以上、片引戸を例にとり、建具について説明したが、建具は、他の建具（例えば、引戸、横引き窓、上げ下げ窓）であってもよい。本発明は、スライドより移動する開閉体２０（例えば、戸、障子、スライド体）を備えた種々の建具に適用することができる。また、建具は、浴室の出入口に限定されず、建物の種々の開口部に設置される。開閉体２０のスライド方向Ｓ等に対応して、枠体４の上枠５以外の部分に減速装置５１を設けてもよい。
【００７２】
開閉体２０の全閉位置への移動時と全開位置への移動時のいずれか一方において、緩衝装置５０により衝撃を緩和するようにしてもよい。減速装置５１を開閉体２０に設け、作動部５２を枠体４に設けてもよい。このように、減速装置５１は、枠体４と開閉体２０の一方に設けられ、作動部５２は、枠体４と開閉体２０の他方に設けられる。カバー部材４２は、減速装置５１に対応して、枠体４と開閉体２０の一方に取り付けられる。
【符号の説明】
【００７３】
１・・・建具、２・・・建具、４・・・枠体、４Ａ・・・開口部、４Ｂ・・・閉鎖部、５・・・上枠、６・・・下枠、７・・・縦枠、８・・・縦枠、１０・・・固定体、１１・・・パネル体、１２・・・框体、１３・・・上框、１４・・・下框、１５・・・縦框、１６・・・縦框、１７・・・取付部、２０・・・開閉体、２１・・・パネル体、２２・・・框体、２３・・・ハンドル、２４・・・支持軸、２５・・・ガイドローラ、２６・・・上框、２７・・・下框、２８・・・縦框、２９・・・縦框、３０・・・建物、３１・・・ネジ、３２・・・開口縁部、３３・・・タイト材、３４・・・タイト材、３５・・・タイト材、３６・・・タイト材、３７・・・タイト材、３８・・・ネジ、４０・・・通気路、４１・・・開閉弁、４２・・・カバー部材、４３・・・遮蔽部、４４・・・対向部、４５・・・第１係止部、４６・・・第２係止部、４７・・・固定部、４８・・・孔、５０・・・緩衝装置、５１・・・減速装置、５２・・・作動部、５３・・・ネジ、５４・・・ネジ、５５・・・連結部材、５６・・・第１規制部材、５７・・・第２規制部材、５８・・・ガイド手段、６０・・・ケース、６１・・・ケース部材、６２・・・キャップ、６３・・・第１隙間、６４・・・第２隙間、６５・・・ガイド部、７０・・・制動機構、７１・・・制動部、７２・・・可動部、７３・・・オリフィス孔、７４・・・オイル、７５・・・復帰手段、７６・・・ピストン、７７・・・ピストンロッド、７８・・・先端部、８０・・・当接部材、８１・・・連結部、８２・・・当接部、８３・・・並列部。
【図１】
2018162573.tif 000003
【図２】
2018162573.tif 000004
【図３】
2018162573.tif 000005
【図４】
2018162573.tif 000006
【図５】
2018162573.tif 000007
【図６】
2018162573.tif 000008
【図７】
2018162573.tif 000009
【図８】
2018162573.tif 000010
【図９】
2018162573.tif 000011
【図１０】
2018162573.tif 000012
【図１１】
2018162573.tif 000013
【図１２】
2018162573.tif 000014
【図１３】
2018162573.tif 000015
【図１４】
2018162573.tif 000016
【図１５】
2018162573.tif 000017
【図１６】
2018162573.tif 000018
【図１７】
2018162573.tif 000019
【図１８】
2018162573.tif 000020